(57)【要約】  【課題】使用空間を囲繞し下端及び上端に開口部を有した筒状のスリーブと、このスリーブの下端に係合し前記使用空間の底部を区画するトレーと、前記スリーブの上端に係合し前記使用空間の天井部を区画するカバーとを有するスリーブコンテナにおいて、使用年数が長いものと短いものとが混在し、劣化による交換のための管理が困難となる不具合を解消する。  【解決手段】トレー３が、スリーブ２よりも背の低いサポート部５を有し、前記スリーブ２が、折畳むことにより嵩の低い収納状態（ｓ）に変形可能であり、前記収納状態（ｓ）のスリーブ２が、平面視において前記トレー３又はカバー４よりも小さく、且つ側面視において前記トレー３、前記サポート部５、及び前記カバー４により区画されるスリーブ収納空間Ｓ１の高さより低くなるように設定する。【選択図】図２
2019206361.tif 000002
【特許請求の範囲】
【請求項１】
使用空間を囲繞し下端及び上端に開口部を有した筒状のスリーブと、このスリーブの下端に係合し前記使用空間の底部を区画するトレーと、前記スリーブの上端に係合し前記使用空間の天井部を区画するカバーとを有するスリーブコンテナにおいて、
前記トレー及び／又はカバーは、前記スリーブよりも背の低いサポート部を有し、
前記スリーブは、分解及び／又は折畳むことにより嵩の低い収納状態に変形可能であり、
前記収納状態のスリーブは、平面視において前記トレー又はカバーよりも小さく、且つ側面視において前記トレー、前記サポート部、及び前記カバーにより区画されるスリーブ収納空間の高さより低くなるように設定されていることを特徴とするスリーブコンテナ。
【請求項２】
前記サポート部が、筒状をなす立壁により構成されている請求項１記載のスリーブコンテナ。
【請求項３】
前記サポート部が、前記カバー又は前記トレーと別体である請求項１又は２記載のスリーブコンテナ。
【請求項４】
前記カバー又は前記トレーは、前記サポート部の上端又は下端と係合する係合部を有している請求項１、２、又は３記載のスリーブコンテナ。
【請求項５】
前記係合部の一部又は全部が、内側及び外側の隆起部からなる溝である請求項４記載のスリーブコンテナ。
【請求項６】
前記スリーブが垂直に立設された板状部材からなり、上端又は下端の側面が挟持されることにより、前記カバー又は前記トレーに係合する請求項１、２、３、４又は５記載のスリーブコンテナ。
【請求項７】
前記カバー又は前記トレーが内側及び外側の隆起部を備えたものであり、
前記挟持は、前記カバー又は前記トレーの前記内側の隆起部の内向側面と前記カバー又は前記トレーに設置された位置決め部材との当接により与えられる請求項６記載のスリーブコンテナ。
【請求項８】
前記カバー及び前記トレーが同一形状である請求項７記載のスリーブコンテナ。
【請求項９】
前記トレー又は前記カバーが、フォーク挿入部を有する請求項１、２、３、４、５、６、７又は８記載のスリーブコンテナ。
【請求項１０】
前記トレーの下に敷かれたパレットにフォーク挿入部が形成されている請求項１、２、３、４、５、６、７又は８記載のスリーブコンテナ。
【発明の詳細な説明】
【技術分野】
【０００１】
本発明は、物資を収納するための使用空間をスリーブにより形成しているスリーブコンテナに関するものである。
【背景技術】
【０００２】
従来この種のスリーブコンテナとして、使用空間を囲繞し下端及び上端に開口部を有した筒状のスリーブと、このスリーブの下端に係合し前記使用空間の底部を区画するトレーと、前記スリーブの上端に係合し前記使用空間の天井部を区画するカバーとを有するものが知られている（例えば、特許文献１を参照）。
【０００３】
このようなスリーブコンテナは、物資の保管や輸送等に多数使用されているが、非使用時には前記スリーブと前記トレーと前記カバーとを分解した状態で倉庫等に保管されるものである。
【０００４】
すなわち、かかるスリーブコンテナは、非使用時、折りたたみ及び／又は分解されることにより減容化されるが、その状態ではトレー、カバー及びスリーブが相互に固定されていないため、それらをセットにした状態で保管することが難しい。そのため、複数のスリーブコンテナを保管する場合、スリーブ、トレー、カバーをそれぞれ別々に複数個ずつスタッキングして保管管理されている。
【０００５】
ところが、スリーブコンテナの材質は、主として紙やプラスチックであるため、経年劣化による交換が必要となるが、前述したようにスリーブ、カバー及びトレーが別々に管理されると、使用年数が長いものと短いものとが混在することとなり、劣化による交換のための管理が困難となる。
【０００６】
以上説明した課題は、パレット上にトレーを乗せるタイプのもので顕著であるが、他の形式のものにおいても同様な問題が指摘されている。
【先行技術文献】
【特許文献】
【０００７】
【特許文献１】特開２０１５−１５１１３６号公報
【発明の概要】
【発明が解決しようとする課題】
【０００８】
本発明は、スリーブコンテナを構成するスリーブ、カバー及びトレーにおける劣化による交換のための管理を容易に行うようにすることを目的とする。
【課題を解決するための手段】
【０００９】
このような課題を解決すべく、本発明に係るスリーブコンテナは、使用空間を囲繞し下端及び上端に開口部を有した筒状のスリーブと、このスリーブの下端に係合し前記使用空間の底部を区画するトレーと、前記スリーブの上端に係合し前記使用空間の天井部を区画するカバーとを有するものにおいて、前記トレー及び／又はカバーは、前記スリーブよりも背の低いサポート部を有し、前記スリーブは、分解及び／又は折畳むことにより嵩の低い収納状態に変形可能であり、前記収納状態のスリーブは、平面視において前記トレー又はカバーよりも小さく、且つ側面視において前記トレー、前記サポート部、及び前記カバーにより区画されるスリーブ収納空間の高さより低くなるように設定されている。
【００１０】
このような構成のものであれば、特定のスリーブコンテナを構成するスリーブ、トレー、カバー等の全構成部品を一つのセットとして取り扱い管理することができる。従って、使用年数が長いものと短いものとが混在することがなく、劣化による交換のための管理を容易に行うことができる。
【００１１】
また、前記スリーブ内部に物品を収納した際に外力からスリーブ及び内容物を保護するプロテクターとして、前記サポート部を機能させるにあたって、当該サポート部が筒状をなす立壁により構成されていれば、外部からの打突に対する死角がなくなる。
【００１２】
使用前のメーカーからユーザーへの輸送効率の向上を図るための構成として、前記サポート部が、前記カバー又は前記トレーと別体であるものが挙げられる。また、このように前記サポート部が前記カバー又は前記トレーと別体であれば、上述したプロテクターとして前記サポート部を機能させるにあたり、このようなサポート部が破損した場合、プロテクターであるサポート部のみを容易に交換することもできる。
【００１３】
非使用時にスリーブを前記スリーブ収納空間内に収納した前記格納姿勢として輸送等を行う際、外力や振動等によりカバー及びトレーとサポート部との連結が解除されることを防止又は抑制するための構成として、前記カバー及び前記トレーが、前記サポート部の上端及び下端とそれぞれ係合する係合部を有しているものが挙げられる。このようなものであれば、格納姿勢におけるスリーブコンテナを一体のものとして取り扱うことができるからである。
【００１４】
特に、前記係合部の少なくとも一部が、前記トレー及びカバーの内側及び外側の隆起部からなる溝であれば、前記サポート部と相まって外部からの汚損に対する堤防としても機能させることができる。
【００１５】
組立時のスリーブの位置決め及び固定を容易にするための構成の一例として、前記スリーブが垂直に立設された板状部材からなり、上端又は下端の側面が挟持されることにより、前記カバー又は前記トレーに係合するようにしているものが挙げられる。なお、本発明において「上端又は下端の側面」とは、スリーブの側面における上端部又は下端部を示す概念である。
【００１６】
特に、前記カバー又は前記トレーが内側及び外側の隆起部を備えたものであり、前記トレーに位置決め部材を設置し、前記トレーの前記内側の隆起部の内向側面と前記位置決め部材とにより前記スリーブを挟持するようにしているものであれば、組立時のスリーブ位置決め及び固定を極めて容易に行うことができる。
【００１７】
そして、実質的な部品の種類を削減するための構成として、前記カバー及び前記トレーが同一形状であるものが挙げられる。
【００１８】
以上に述べたような構成にかかる効果を好適に得ることができるスリーブコンテナの態様として、前記トレー又は前記カバーが、フォーク挿入部を有するものや、トレーの下に敷かれたパレットにフォーク挿入部が形成されているものが挙げられる。
【発明の効果】
【００１９】
本発明によれば、スリーブコンテナを構成するスリーブ、カバー及びトレーにおける劣化による交換のための管理を容易に行うことができる
【図面の簡単な説明】
【００２０】
【図１】本発明の第一の実施形態に係るスリーブコンテナを示す概略断面図。
【図２】同実施形態に係るスリーブコンテナを示す概略断面図。
【図３】同実施形態に係るスリーブコンテナを示す分解斜視図。
【図４】同実施形態に係るスリーブの収納手順を示す説明図。
【図５】同実施形態に係るスリーブの収納手順を示す説明図。
【図６】同実施形態に係るスリーブの収納手順を示す説明図。
【図７】本発明の第二の実施形態に係るスリーブコンテナを示す概略断面図。
【図８】本発明の第三の実施形態に係るスリーブコンテナを示す概略断面図。
【図９】本発明の第四の実施形態に係るスリーブコンテナを示す概略断面図。
【図１０】本発明の第五の実施形態に係るスリーブコンテナを示す概略断面図。
【図１１】同実施形態に係るスリーブコンテナを示す概略断面図。
【図１２】本発明の第六の実施形態に係るスリーブコンテナを示す概略断面図。
【図１３】同実施形態に係るスリーブコンテナを示す概略断面図。
【図１４】本発明の第七の実施形態に係るスリーブコンテナを示す概略断面図。
【図１５】本発明の第八の実施形態に係るスリーブコンテナを示す概略断面図。
【図１６】本発明の第九の実施形態に係るスリーブコンテナを示す概略断面図。
【発明を実施するための形態】
【００２１】
＜第一の実施形態＞
本発明の第一の実施形態を、図１〜図６を参照しつつ以下に述べる。
【００２２】
本実施形態のスリーブコンテナ１は、図１に示すように、使用空間Ｓ０を囲繞し下端２ａ及び上端２ｂに開口部を有した筒状のスリーブ２と、このスリーブ２の下端２ａに係合し前記使用空間Ｓ０の底部を区画するトレー３と、前記スリーブ２の上端２ｂに係合し前記使用空間Ｓ０の天井部を区画するカバー４とを具備してなるもので、前記トレー３は、前記スリーブ２よりも背の低いサポート部５と、前記スリーブ２を位置決めするための位置決め部材６とを備えている。また、本実施形態では、前記トレー３の下に、フォーク挿入部７ａが形成されたパレット７が敷かれている。
【００２３】
前記スリーブ２は、この実施形態では折畳むことにより図２に示すような嵩の低い収納状態（ｓ）に変形可能であり、前記収納状態（ｓ）のスリーブ２は、後述するように、平面視において前記トレー３及びカバー４よりも小さく、且つ側面視においてその高さｈ０が前記トレー３、前記サポート部５、及び前記カバー４により区画されるスリーブ収納空間Ｓ１の高さｈ１より低くなるように設定されている。
【００２４】
このスリーブ２は、垂直に立設された板状部材からなる角形筒状のもの、具体的には、板状部材の一つである合成樹脂製のプラスチック中空板によって形成された角形筒状のものである。プラスチック中空板は、例えば、多数の平面視円形状をなすキャップ状の突起を有するキャップシートと、このキャップシートを挟むように当該キャップシートの底面側及び頂面側に配される平坦なバックシート及びライナーシートとを備えた３層状のプラスチック気泡ボードである。なお、図１〜図６では、これらキャップシート、バックシート、ライナーシートの図示は省略している。
【００２５】
また、前記スリーブ２は、図１〜図６に示すように、前壁２１と、この前壁２１の左右両側縁から延びる左右の側壁２２と、これら左右の側壁２２の後縁間を繋ぐ後壁２３とを備えたものであり、これら前壁２１、左右の側壁２２及び後壁２３は、それぞれ前記プラスチック気泡ボードによって形成されている。本実施形態では、前記前壁２１、前記左右の側壁２２、及び前記後壁２３は、コーナーヒンジ２４を介してそれぞれ接続されている。また、前記左右の側壁２２は、前後方向中間位置にセンターヒンジ２５を有している。そして、図４に示すように、前記各コーナーヒンジ２４を山折りするとともに、前記各センターヒンジ２５を谷折りすることにより、このスリーブ２全体を図５に示すような平坦な形態である収納状態（ｓ）に折り畳むことができるようにしてある。前記スリーブ２は、図１及び図３に示すような筒状に展開した使用状態（ｕ）で、下端２ａの側面２ａ１が前記トレー３に設けられた後述する内側の隆起部３３の内向側面３３ａと前記トレー３上に載設された位置決め部材６とにより挟持されることにより前記トレー３上に位置決めされているとともに、上端２ｂの側面２ｂ１が前記カバー４に設けた後述する内側の隆起部４３の内向側面４３ａと係り合っている。
【００２６】
前記トレー３は、図１〜図３及び図６に示すように、例えば平面視正方形状をなす盤状のトレー本体３１と、このトレー本体３１の上面外周縁部に沿って形成された外側の隆起部３２と、この外側の隆起部３２の内側に位置させて前記トレー本体３１の上面に形成された内側の隆起部３３とを備えたものであり、前記外側及び内側の隆起部３２、３３の間に前記サポート部５の下端５ａを係合させるための係合部である溝３４が形成されている。このトレー３は、前記トレー本体３１と、前記内側及び外側の隆起部３２とを、例えば合成樹脂等により一体に成形して作られている。前記外側及び内側の隆起部３２、３３は、それぞれ平面視において角形環状体をなしており、上方に向かって漸次厚みが減少する形態を備えている。従って、外側及び内側の隆起部３２、３３間に形成される溝３４は、上方に向かってその開口幅が漸次拡大する形態をなしている。
【００２７】
以上説明したトレー３に設けられた前記サポート部５は、図１〜図３及び図６に示すように、筒状をなす立壁５１により構成されており、前記トレー３とは別体をなしている。具体的には、このサポート部５は、例えば、立壁５１である合成樹脂製のプラスチック中空板によって形成された角形筒状のものである。プラスチック中空板としては、例えば、前記スリーブ２を形成するものと同様の、３層状のプラスチック気泡ボードが用いられている。このサポート部５は、前述したように前記スリーブ２よりも背が低い。
【００２８】
また、前記トレー３上に当該トレー３と別体に設けられた前記位置決め部材６は、図１〜図３に示すように、平面視正方形をなす厚板状のもので、この位置決め部材６の外周面６ａと前記トレー３の内側の隆起部３３の内向側面３３ａとの間に前記スリーブ２を嵌合させることにより前記スリーブ２を位置決めするようになっている。
【００２９】
前記カバー４は、この実施形態では前記トレー３と同一形状である。換言すれば、前記トレー３と同一形状をなす物体を上下反転させることにより当該カバー４として使用することができる。すなわち、このカバー４は、図１〜図３に示すように、例えば平面視正方形状をなす盤状のカバー本体４１と、このカバー本体４１の下面外周縁部に沿って形成された外側の隆起部４２と、この外側の隆起部４２の内側に位置させて前記カバー本体４１の下面に形成された内側の隆起部４３とを備えたものであり、前記外側及び内側の隆起部４２、４３の間に前記サポート部５の上端５ｂを係合させるための係合部である溝４４が形成されている。このカバー４は、前記カバー本体４１と、前記外側及び内側の隆起部４２、４３とを、例えば合成樹脂等により一体に成形して作られている。
【００３０】
以上説明した実施形態を説明する図１は、スリーブコンテナ１の使用姿勢を示す概略断面図であり、図２は、同格納姿勢を示す概略断面図である。図３は、前記スリーブコンテナ１の全体を分解して示す分解斜視図であり、図４〜図６はスリーブ２を折りたたんでスリーブ収納空間Ｓ１に収納する手順を示す説明図である。なお、前記図３及び図６では、パレット７は省略して示している。
【００３１】
以上説明したスリーブコンテナ１は、図３に示すように、少なくとも、前記スリーブ２と、前記サポート部５が付帯したトレー３と、前記カバー４と、前記位置決め部材６とに分解することができ、この分解状態を経て、当該スリーブコンテナ１を図１に示す使用姿勢（Ｕ）から図２に示すコンパクトな格納姿勢（Ｓ）に変形させることができる。
【００３２】
すなわち、前記分解状態において、前記スリーブ２を、前述したように前記各コーナーヒンジ２４を山折りするとともに、前記各センターヒンジ２５を谷折りすることにより、このスリーブ２全体を図５に示すように折り畳み、そのスリーブ２を水平に寝かせ収納状態（ｓ）とした上で図６に示すようにトレー３の上に載置する。この場合、前記収納状態（ｓ）のスリーブ２は、平面視において前記トレー３及びカバー４よりも小さく、且つ側面視において高さｈ０が前記トレー３、前記サポート部５、及び前記カバー４により区画されるスリーブ収納空間Ｓ１の高さｈ１より低くなるように構成されているため、サポート部５の上端５ｂに前記カバー４をかぶせた前記格納姿勢（Ｓ）において前記収納状態（ｓ）のスリーブ２は前記スリーブ収納空間Ｓ１内に収まることになる。
【００３３】
すなわち、このような構成のものであれば、特定のスリーブコンテナ１を構成するスリーブ２、トレー３、カバー４等の全構成部品を一つのセットとして取り扱うことができ、管理することができる。従って、使用年数が長いものと短いものとが混在することがなく、劣化による交換のための管理を容易に行うことができる。
【００３４】
また、前記サポート部５は、非使用時に前記スリーブ２、前記カバー４及び前記トレー３を一体で管理するために用いられるだけでなく、前記使用姿勢（Ｕ）としスリーブ２内部に物品を収納した際に外力からスリーブ２及び内容物を保護するプロテクターとして、特にフォークリフトを使用して搬送作業を行う場面において有効に機能する。特に、本実施形態では、前記サポート部５が筒状をなす立壁５１により構成されているので、外部からの打突に対する死角がなくなる。
【００３５】
さらに本実施形態の構成によれば、以下のような効果を得ることもできる。
【００３６】
すなわち、前記サポート部５が、前記トレー３と別体であるので、外力による打突によりサポート部５が破損した際でも容易にサポート部５のみを交換できるとともに、スリーブコンテナ１の使用開始前に製造者が使用者に納入する際、スリーブコンテナ１の各部材を分離集約した上で輸送することができ、使用前のメーカーからユーザーへの輸送効率の向上を図ることもできる。その上、スリーブコンテナ１の内部が汚損された場合でも、サポート部５を取り外すことにより容易に洗浄することができる。
【００３７】
前記トレー３及び前記カバー４が、前記サポート部５の下端及び上端５ａ、５ｂとそれぞれ係合する係合部を有しているので、このような格納姿勢におけるスリーブコンテナ１を一体のものとして取り扱うことができ、非使用時にスリーブ２を前記スリーブ収納空間Ｓ１内に収納した前記格納姿勢（Ｓ）として輸送等を行う際、外力や振動等によりトレー３及びカバー４とサポート部５との連結が解除されることを防止又は抑制できる。
【００３８】
前記係合部の少なくとも一部が、前記トレー３の外側及び内側の隆起部３２、３３からなる溝３４、及び前記カバー４の外側及び内側の隆起部４２、４３からなる溝４４であるので、前記サポート部５と相まって外部からの汚損に対する堤防としても機能する。
【００３９】
前記スリーブ２が垂直に立設された板状部材からなり、下端２ａの側面が挟持されることにより前記トレー３に係合するようにしているので、組立時のスリーブ２の位置決め及び固定が容易となる。
【００４０】
前記トレー３に位置決め部材６を設置し、前記トレー３の前記内側の隆起部３３の内向側面３３ａと前記位置決め部材６とにより前記スリーブ２を挟持するようにしているので、組立時のスリーブ２の位置決め及び固定を極めて容易に行うことができる。
【００４１】
前記位置決め部材６を前記トレー３と別体として分離可能に設けているので、前記トレー３と内容物とのスペーサーとして前記位置決め部材６を機能させ、トレー３の内容物による毀損、汚損を防止することができ、また分離して洗浄等のメンテナンスを容易に行うことができる。
【００４２】
そして、前記トレー３及び前記カバー４が同一形状であるので、前記トレー３を上下逆にして前記カバー４として使用することや、逆に前記カバー４を上下逆にして前記トレー３として使用することができ、実質的な部品の種類を削減することができる。
【００４３】
＜第二の実施形態＞
以下、本発明の第二の実施形態を、図７を参照しつつ説明する。図７は、本実施形態に係るスリーブコンテナＢ１の使用姿勢を示す概略断面図であり、第一の実施形態と同一又は相当する部分には同一の符号を付して説明を省略する。
【００４４】
このスリーブコンテナＢ１は、トレー３の下面に、パレット７に代えて脚体３５を間欠的に設けたものであり、脚体３５間にフォーク挿入部３ｘが設けられている。前記脚体３５は、トレーと別体であるように図示してあるが、トレー３と一体であってもよい。なお、脚体３５がトレー３と別体であれば、カバー４をトレー３と同一形状のものにすることが容易になる。
【００４５】
＜第三の実施形態＞
以下、本発明の第三の実施形態を、図８を参照しつつ説明する。図８は、本実施形態に係るスリーブコンテナＣ１の使用姿勢を示す概略断面図であり、第一の実施形態と同一又は相当する部分には同一の符号を付して説明を省略する。
【００４６】
このスリーブコンテナＣ１は、トレー３の下面に、パレット７に代えて脚体３５を間欠的に設けているとともに、カバー４の上面にも脚体４５を間欠的に設け、これら脚体３５、４５間にフォーク挿入部３ｘ、４ｘを設けているとともに、脚体３５付きの前記トレー３と脚体４５付きの前記カバー４とを同一形状としたものである。このような構成のものは、トレー３と脚体３５とを一体に成形した場合に、トレー３を成形するための金型とカバー４を成形するための金型とを共通化することができ、製造設備のシンプル化を図ることができる。
【００４７】
＜第四の実施形態＞
以下、本発明の第四の実施形態を、図９を参照しつつ説明する。図９は、本実施形態に係るスリーブコンテナＤ１の使用姿勢を示す概略断面図であり、第一の実施形態と同一又は相当する部分には同一の符号を付して説明を省略する。
【００４８】
このスリーブコンテナＤ１は、第一の実施形態に係るスリーブコンテナ１において、トレー３の下に敷くパレット７を省略したものである。
【００４９】
このようなものであれば、フォークリフトのみならず、種々の搬送設備に最適な仕様に対応させることが容易になる。
【００５０】
＜第五の実施形態＞
以下、本発明の第五の実施形態を、図１０及び図１１を参照しつつ説明する。図１０は、本実施形態に係るスリーブコンテナＥ１の使用姿勢を示す概略断面図であり、図１１は、同格納姿勢を示す概略断面図である。第一の実施形態と同一又は相当する部分には同一の符号を付して説明を省略する。
【００５１】
このスリーブコンテナＥ１は、前記トレー３及び前記カバー４がそれぞれサポート部Ｅ５、Ｅ５’を有している。
【００５２】
本実施形態の各サポート部Ｅ５は、第一実施形態におけるサポート部４と比較して、高さ寸法が半分に設定されている。また、トレー３側のサポート部Ｅ５は下端Ｅ５ａがトレー３の係合部すなわち溝３４に常時係合しているとともに、カバー４側のサポート部Ｅ５’は上端Ｅ５ｂ’がカバー４の係合部すなわち溝４４に常時係合している。そして、格納姿勢（Ｓ）において、トレー３側のサポート部Ｅ５の上端Ｅ５ｂとカバー４側のサポート部Ｅ５’の下端Ｅ５ａ’とが突き合ってスリーブ収納空間Ｓ１が形成されるようになっている。
【００５３】
＜第六の実施形態＞
以下、本発明の第六の実施形態を、図１２及び図１３を参照しつつ説明する。図１２は、本実施形態に係るスリーブコンテナＦ１の使用姿勢を示す概略断面図であり、図１３は、同格納姿勢を示す概略断面図である。第一の実施形態と同一又は相当する部分には同一の符号を付して説明を省略する。
【００５４】
このスリーブコンテナＦ１は、第一の実施形態におけるトレー３の外側及び内側の隆起部３２、３３に代えて、サポート部Ｆ５をトレー本体３１の上面から一体に突設しているとともに、前記格納姿勢（Ｓ）において、前記サポート部Ｆ５の上端Ｆ５ｂがカバー４の外側及び内側の隆起部４２、４３の間に設けた溝４４に係合するようになっている。しかしてこの実施形態においては、前記溝４４が前記サポート部Ｆ５に係合する係合部である。なお、Ｆ５ａは、サポート部Ｆ５の下端である。
【００５５】
＜第七の実施形態＞
以下、本発明の第七の実施形態を、図１４を参照しつつ説明する。図１４は、本実施形態に係るスリーブコンテナＧ１の使用姿勢を示す概略断面図であり、第一の実施形態と同一又は相当する部分には同一の符号を付して説明を省略する。
【００５６】
このスリーブコンテナＧ１は、第一の実施形態におけるカバー４の外側及び内側の隆起部４２、４３に代えて、サポート部Ｇ５をカバー本体４１の下面から一体に突設しているとともに、前記格納姿勢（Ｓ）において、前記サポート部Ｇ５の下端Ｇ５ａがトレー３側の外側及び内側の隆起部３２、３３の間に設けた溝３４に係合するようになっている。しかしてこの実施形態においては、前記溝３４が前記サポート部Ｇ５に係合する係合部である。なお、Ｇ５ｂは、サポート部Ｇ５の上端である。
【００５７】
＜第八の実施形態＞
以下、本発明の第八の実施形態を、図１５を参照しつつ説明する。図１５は、本実施形態に係るスリーブコンテナＨ１の使用姿勢を示す概略断面図であり、第一の実施形態と同一又は相当する部分には同一の符号を付して説明を省略する。
【００５８】
このスリーブコンテナＨ１は、第一の実施形態におけるトレー３の外側及び内側の隆起部３２、３３及びカバー４の外側及び内側の隆起部４２、４３に代えて、サポート部Ｈ５、Ｈ５’をトレー本体３１の上面及びカバー本体４１の下面からそれぞれ一体に突設しているとともに、前記格納姿勢（Ｓ）において、トレー３側のサポート部Ｈ５の上端Ｈ５ｂとカバー４側のサポート部Ｈ５’の下端Ｈ５ａ’とが突き合ってスリーブ収納空間が形成されるようになっている。また、前記各サポート部Ｈ５は、前記第六及び第七の実施形態におけるサポート部Ｆ５、Ｇ５と比較して、高さ寸法が半分に設定されている。なお、Ｈ５ａ、Ｈ５ｂ’は、それぞれトレー３側のサポート部Ｈ５の下端及びカバー４側のサポート部Ｈ５’の上端である。
【００５９】
＜第九の実施形態＞
以下、本発明の第九の実施形態を、図１６を参照しつつ説明する。図１６は、本実施形態に係るスリーブコンテナＪ１の使用姿勢を示す概略断面図であり、第一の実施形態と同一又は相当する部分には同一の符号を付して説明を省略する。
【００６０】
このスリーブコンテナＪ１は、トレー３のみならず、カバー４も位置決め部材６を備えている。この位置決め部材６は、カバー４と一体であってもよく、また、別体であってもよい。
【００６１】
以上に述べた第二ないし第九の実施形態の構成であっても、少なくとも本発明の最も主要な効果、すなわち、特定のスリーブコンテナＢ１〜Ｊ１を構成するスリーブ２、トレー３、カバー４等の全構成部品を一つのセットとして取り扱うことができ、管理することができるので、使用年数が長いものと短いものとが混在することがなく、劣化による交換のための管理を容易に行うことができるという効果は得ることができるとともに、前述した第一の実施形態のスリーブコンテナ１におけるものに対応する構成を有するものであれば、当該構成による効果を得ることもできる。
【００６２】
なお、本発明は、以上説明した第一ないし第九の実施形態に限られない。
【００６３】
例えば、上述した各実施形態では、前記スリーブを折りたたみ可能なものとしているが、前記スリーブを分解することにより嵩の低い収納状態に変形可能なものにしてもよい。
【００６４】
また、スリーブを構成する板状部材も、プラスチック中空板に限らず、段ボール紙その他種々のものを用いることができる。
【００６５】
さらに、サポート部は、筒状をなす立壁により構成されているものに限らず、例えば、板状の立壁を間欠的に配置したものや、柱状のサポート要素を間欠的に配置したもの等、スリーブ収納空間の内外を筒状に区画できるものであればどのようなものでもよい。
【００６６】
そして、筒状のサポート部に、スリーブ収納空間の内外を連通する孔その他の開口部を設けてもよい。
【００６７】
その他、本発明の趣旨を損ねない範囲で種々に変形してよい。
【符号の説明】
【００６８】
１、Ｂ１〜Ｊ１…スリーブコンテナ
２…スリーブ
３…トレー
４…カバー
５、Ｅ５〜Ｈ５…サポート部
Ｓ１…スリーブ収納空間
（ｓ）…収納状態
ｈ０…収納状態のスリーブの高さ
ｈ１…スリーブ収納空間の高さ
【図１】
2019206361.tif 000003
【図２】
2019206361.tif 000004
【図３】
2019206361.tif 000005
【図４】
2019206361.tif 000006
【図５】
2019206361.tif 000007
【図６】
2019206361.tif 000008
【図７】
2019206361.tif 000009
【図８】
2019206361.tif 000010
【図９】
2019206361.tif 000011
【図１０】
2019206361.tif 000012
【図１１】
2019206361.tif 000013
【図１２】
2019206361.tif 000014
【図１３】
2019206361.tif 000015
【図１４】
2019206361.tif 000016
【図１５】
2019206361.tif 000017
【図１６】
2019206361.tif 000018